【手続補正書】
【提出日】平成17年8月25日(2005.8.25)
【手続補正１】
【補正対象書類名】明細書
【補正対象項目名】特許請求の範囲
【補正方法】変更
【補正の内容】
【特許請求の範囲】
【請求項１】  第１のコイルと、第２のコイルと、これらのコイルに直流電流を供給する電源供給回路と、この電源供給回路の作動を制御するすなわち第１のコイルに近接して第１の物体を、また第２のコイルに近接して第２の物体を置いた時に、第１のコイルに通電しこの第１のコイルに生ずる磁気を第１の物体と第２の物体とに作用させ、次に２のコイルに通電してこの第２のコイルに生ずる磁気を第１の物体と第２の物体とに作用させるように電源供給回路を制御する、制御回路とから構成される磁気処理装置に於いて、第１のコイルと第１の物体とに第３の物体を介在させ得るように、第３の物体を第１のコイルに近接して固定的にまたは半固定的に取り付けることを特徴とする、磁気処理装置。
【請求項２】  第１のコイルと、第２のコイルと、これらのコイルに直流電流を供給する電源供給回路と、この電源供給回路の作動を制御するすなわち第１のコイルに近接して第１の物体を、また第２のコイルに近接して第２の物体を置いた時に、第１のコイルに通電しこの第１のコイルに生ずる磁気を第１の物体と第２の物体とに作用させ、次に２のコイルに通電してこの第２のコイルに生ずる磁気を第１の物体と第２の物体とに作用させるように電源供給回路を制御する、制御回路とから構成される磁気処理装置に於いて、第２のコイルと第２の物体とに第３の物体を介在させ得るように、第３の物体を第２のコイルに近接して固定的にまたは半固定的に取り付けることを特徴とする、磁気処理装置。
【請求項３】  前記制御回路は、第１のコイルに通電し、次に第２のコイルに通電する制御を複数回繰り返すものである、請求項１または請求項２に記載の磁気処理装置。
【請求項４】  前記物体が生体である、請求項１または請求項２に記載の磁気処理装置。
【請求項５】  第１のコイルに近接して第１の物体を、また第２のコイルに近接して第２の物体を置き、第１のコイルに通電し、この第１のコイルに生ずる磁気を第１の物体と第２の物体とに作用させ、次に第２のコイルに通電し、この第２のコイルに生ずる磁気を第１の物体と第２の物体とに作用させ、このようにして磁気処理を行なう磁気処理方法に於いて、前記第１のコイルと第１の物体とに第３の物体を介在させることを特徴とする、磁気処理方法。
【請求項６】  第１のコイルに近接して第１の物体を、また第２のコイルに近接して第２の物体を置き、第１のコイルに通電し、この第１のコイルに生ずる磁気を第１の物体と第２の物体とに作用させ、次に第２のコイルに通電し、この第２のコイルに生ずる磁気を第１の物体と第２の物体とに作用させ、このようにして磁気処理を行なう磁気処理方法に於いて、前記第２のコイルと第２の物体とに第３の物体を介在させることを特徴とする、磁気処理方法。
【請求項７】  第１のコイルに通電し、次に第２のコイルに通電する制御を複数回繰り返すものである、請求項５または請求項６に記載の磁気処理方法。
【請求項８】  前記物体に生体を用いる、請求項５または請求項６に記載の磁気処理方法。
【請求項９】  第１のコイルに近接して第１の物体を、また第２のコイルに近接して第２の物体を置き、第１のコイルに通電し、この第１のコイルに生ずる磁気を第１の物体と第２の物体とに作用させ、次に第２のコイルに通電し、この第２のコイルに生ずる磁気を第１の物体と第２の物体とに作用させ、このようにして予め、磁気処理を施しておいた第２の物体のインピーダンスの検知回路と、この検知回路により計測したインピーダンス値から画像を生成して出力する画像生成回路とから構成されることを特徴とする、磁気処理結果の画像確認装置。
【請求項１０】  第１のコイルと、第２のコイルと、これらのコイルに直流電流を供給する電源供給回路と、この電源供給回路の作動を制御するすなわち第１のコイルに近接して第１の物体を、また第２のコイルに近接して第２の物体を置いた時に、第１のコイルに通電しこの第１のコイルに生ずる磁気を第１の物体と第２の物体とに作用させ、次に２のコイルに通電してこの第２のコイルに生ずる磁気を第１の物体と第２の物体とに作用させるように電源供給回路を制御する、制御回路とから構成され、更に前記第２の物体のインピーダンスの検知回路と、この検知回路によって計測したインピーダンス値から画像を生成して出力する画像生成回路とから構成されることを特徴とする、磁気処理結果の画像確認装置。
【請求項１１】  前記制御回路は、第１のコイルに通電し、次に第２のコイルに通電する制御を複数回繰り返すものである、請求項１０に記載の磁気処理結果の画像確認装置。
【請求項１２】  前記検知回路は、操作者の各指に接触する電極を有するものである、請求項９または請求項１０に記載の磁気処理結果の画像確認装置。
【請求項１３】  前記画像生成回路は、前記検知回路からのインピーダンス値の時々刻々の変化に応じて画像を変化させるものである、請求項９または請求項１０に記載の磁気処理結果の画像確認装置。
【請求項１４】  前記画像生成回路はオーラを模した画像を生成して出力するものである、請求項９または請求項１０に記載の磁気処理結果の画像確認装置。
【請求項１５】  操作者を撮影するカメラを備え、前記画像生成回路は前記検知回路により計測したインピーダンス値に基づいて生成した画像にこのカメラによる画像を重ね合わせて出力するものである、請求項９または請求項１０に記載の磁気処理結果の画像確認装置。
【請求項１６】  第３の物体を備え、前記第１のコイルと第１の物体とにこの第３の物体を介在させ得るように、第３の物体を第１のコイルに近接して固定的にまたは半固定的に取り付けて成る、請求項１０に記載の磁気処理結果の画像確認装置。
【請求項１７】  第３の物体を備え、前記第２のコイルと第２の物体とにこの第３の物体を介在させ得るように、第３の物体を第２のコイルに近接して固定的にまたは半固定的に取り付けて成る、請求項１０に記載の磁気処理結果の画像確認装置。
【請求項１８】  前記物体が生体である、請求項９または請求項１０または請求項１６または請求項１７に記載の磁気処理結果の画像確認装置。
【請求項１９】  第１のコイルに近接して第１の物体を、また第２のコイルに近接して第２の物体を置き、第１のコイルに通電し、この第１のコイルに生ずる磁気を第１の物体と第２の物体とに作用させ、次に第２のコイルに通電して、この第２のコイルに生ずる磁気を第１の物体と第２の物体とに作用させ、このようにして予め、磁気処理を施しておいた第２の物体のインピーダンス値を計測して、この計測値に基づいて画像を生成して出力することを特徴とする、磁気処理結果の画像確認方法。
【請求項２０】  第１のコイルに近接して第１の物体を、また第２のコイルに近接して第２の物体を置き、第１のコイルに通電し、この第１のコイルに生ずる磁気を第１の物体と第２の物体とに作用させ、次に第２のコイルに通電し、この第２のコイルに生ずる磁気を第１の物体と第２の物体とに作用させ、このようにして磁気処理した第２の物体のインピーダンス値を計測し、この計測値に基づいて画像を生成して出力することを特徴とする、磁気処理結果の画像確認方法。
【請求項２１】  前記第１のコイルに通電し、次に第２のコイルに通電する制御を複数回繰り返すものである、請求項２０に記載の磁気処理結果の画像確認方法。
【請求項２２】  前記インピーダンス値を、操作者の各指から計測するものである、請求項１９または請求項２０に記載の磁気処理結果の画像確認方法。
【請求項２３】  前記インピーダンス値の時々刻々の変化に応じて、画像を変化させるものである、請求項１９または請求項２０に記載の磁気処理結果の画像確認方法。
【請求項２４】  前記インピーダンス値から、オーラを模した画像を生成して出力するものである、請求項１９または請求項２０に記載の磁気処理結果の画像確認方法。
【請求項２５】  前記インピーダンス値に基づいて生成した画像に、カメラで撮影した操作者の画像を重ね合わせ出力するものである、請求項１９または請求項２０に記載の磁気処理結果の画像確認方法。
【請求項２６】  前記第１のコイルと第１の物体とに第３の物体を介在させることを特徴とする、請求項１９または請求項２０に記載の磁気処理結果の画像確認方法。
【請求項２７】  前記第２のコイルと第２の物体とに第３の物体を介在させることを特徴とする、請求項１９または請求項２０に記載の磁気処理結果の画像確認方法。
【請求項２８】  前記物体に生体を用いる、請求項１９または請求項２０または請求項２６または請求項２７に記載の磁気処理結果の画像確認方法。
【手続補正２】
【補正対象書類名】明細書
【補正対象項目名】０００３
【補正方法】変更
【補正の内容】
【０００３】
上記は、第１の液体と、第２の液体とを同一の磁界内、特にコイルなどの導体に流れる電流によって生ずる磁界内に位置付け、これを同時に磁気を作用させることによって、第１の液体にある磁気的な特性によって、第２の液体にある磁気的特性に影響をもたらす、と言うものである。従って特殊な天然水、例えば磁鉄鉱の岩盤内から取り出される地下水などを第１の液体とし、水質の低下に伴なう旨味の欠落、カビ臭の発生と共に汚染に伴なう生体に対する悪影響のある都市部の水道水などを第２の液体として、両液体に同時に磁気を作用させるようにすることによって、基となる第１の液体と関連付けられる磁気作用の施された第２の液体を用意することが出来、この液体を第１の液体に代えて用いることが出来るようになる。
【手続補正３】
【補正対象書類名】明細書
【補正対象項目名】００２２
【補正方法】変更
【補正の内容】
【００２２】
また、前記インピーダンス値の時々刻々の変化に応じて、画像を変化させるものとすることが出来る。カメラのシャッターを切るように、ある一瞬のインピーダンス値を捉えるのもよいが、定期的にインピーダンス値を計測し、その変化に基づき画像を更新してモニターに表示するようにしてもよい。
【手続補正４】
【補正対象書類名】明細書
【補正対象項目名】００４０
【補正方法】変更
【補正の内容】
【００４０】
前記主制御回路２３は、第１のコイル上に置かれた第１の物体の磁気的特性によって影響がもたらされた、第２のコイル上に置かれた第２の物体である操作者の手に付いて、これをその場所に置いたままで、磁気処理の結果を基に画像を生成して見せる点に特徴を有する。なおこの実施形態では、掌に当たる電極３１と各々の指の電極３０との間のインピーダンス値を計測すると共に、その時々刻々と変化する様をディスプレイ２１に表示して見せるように設計されている。